(57)【要約】【課題】従来の交通信号機では、緑光ライト（日本では青）、黄光ライト、赤光ライト、が各々分離されて備えられていた、又方向矢印が付いている信号機もあり、そのため、ドライバーが瞬時に判断しににくなる場合もあった、又信号機の重量が重くなっていた、ライトが緑ー黄ー赤−（赤＋矢印）−黄ー赤と点灯する場合、予告の黄ライトが二度出てくる、無駄な作動である、又場所によっては、設置場所が狭い困難な空間もあった。【解決手段】一個のＬＥＤの内層に緑：黄（橙）：赤の素子を入れた、そのＬＥＤを複数個使用して、信号機のライトに活用し、そのライトの緑：黄（橙）：赤の円を、縦又横に絡み連なった形にしコンパクトにした、又そのライトの円に緑方向矢印を加えた、その方向矢印は、任意の時に下方から任意の方向に、順次小刻みに形成点灯するようにした、また予告として消えるまえに、任意の時に任意の時間点滅にした、それで一灯のライトで機能を果たす。【選択図】図１５
2013061942.tif 000002
【特許請求の範囲】
【請求項１】
ＬＥＤ発光体一個に、緑：黄：赤の三個の光源（素子）を内蔵した構造のＬＥＤ発光体を複数個使用して交通信号機のライトの表示体とした、そのライトの形状を３個の円（緑：黄：赤）が縦ないし横に絡み連なった形状にし、ライトをコンパクトにした、その幅は、限りなく一つの円に近くなるものから三個の円が離れる寸前まで幅広いものまであるようにした、ライトの配列は、横の場合、左から右に緑：黄：赤の順にし、その順に光色するようにした、又右から左に緑：黄：赤の順にし、その順に光色するように出来るようにもした、縦型の場合は下から上に緑：黄：赤の順に並べ、その順に光色するようにした信号機。
【請求項２】
請求項１のライトが赤の表示の円において、緑の任意の方向矢印を加えた形状（円内の一部分を共有して円外に突き出した）の交通信号機。
【請求項３】
請求項２の緑の方向矢印は、任意の時に下方から指示方向に順次点灯するようにした交通信号機。
【請求項４】
請求請２の緑の方向矢印が予告のために、消える前に任意の時に任意の時間緑の方向矢印を点滅にした交通信号機。
【請求項５】
請求項１の黄を橙に替えた信号機
【発明の詳細な説明】
【技術分野】
【０００１】本発明は、ＬＥＤ一個の内層に（緑：黄又は橙：赤）、の素子をいれたＬＥＤを複数個活用して、その信号機のライトに応用した、そのライトの形状は三個の円が、縦又は横に絡み連なった形状にした交通信号機に関する。【０００２】また、そのライトの中に方向矢印を加えた形にした、その緑の方向矢印は、赤黄又は橙の円が点灯したとき、任意の時間に順次点灯していくようにした、又予告のため任意の時に任意の時間点滅にした、その方向矢印は、赤の円の中心を基点に表示する。
【背景技術】
【０００３】一般に交通信号機には、緑光ライト（日本では青光ライト）、黄又は橙光ライト、赤光ライトの三個のライトが各々分離されて備えられていた、他に緑光色で点灯する方向矢印のライトも分離されて備えられていた、又方向矢印が消えるまえに予告のために黄（橙）の円が点灯した、ＬＥＤを使用している場合でも、ＬＥＤ自体は単光源単光色であり、したがって緑光、黄（橙）光、赤光を点灯する場合、三個のライトを必要とした、又方向矢印のライトが加えられていた、また、その作動は制御機器でコントロールしている、又方向矢印を入れると複数のライトを必要とした。
【発明の開示】
【発明が解決しようとする課題】
【０００４】従来の交通信号機では、緑光ライオと、黄（橙）光ライト、赤光ライト、緑方向矢印ライトが各々分離されて備えられていた、そのため信号機重量が重くなっていた、また分離されているため瞬時に判断しづらいこともあった、緑−黄−赤−方向矢印と点灯するが、赤になるまえに予告のために黄（橙）のライトが点灯するが、又矢印が消えた後、又黄（橙）ライトが点灯するため重複している、そのため無駄な作用である、又直射日光が当たり認識することが困難な場合もある、また、場所によっては設置場所が狭い困難な空間もあった。
【課題を解決するための手段】
【０００５】そこで本発明は課題を解決すべく研究を重ねた結果創案されたもので、ＬＥＤ発光体一個に、緑色：黄（橙）色：赤色の三つの光源（素子）を内層した構造のＬＥＤ発光体を複数個使って、三個の円が絡み連なった形状にした、この形を交通信号機のライトとした、そのライトを制御装置の作動で緑−黄（橙）−赤の順に連続して点灯するようにした。【０００６】そのライトの円内が赤の表示になったとき、時間差をもうけて緑の方向矢印を表示できるようにした、この方向矢印はライトの赤又は黄（橙）の円内の一部分を共有するとともに、その円外に突き出した方向矢印として示す、また任意の時に任意の方向に示すことが出来るようにした、そのライトはドライバーが見た場合瞬時に判断できる、分離していたライトを一個のようにまとめてコンパクトにした、また矢印を小刻みに順次出現形成して点灯するようにした、これによりドライバーは方向を間違わなく直ぐに判断できる、又消えるまえに、予告のため矢印を点滅にした、これにより黄のライトを点灯することなく、直ぐに赤のライトに移れる。
【発明の効果】
【０００７】ドライバーや歩道を渡る通行人が交通信号機を見た場合、瞬時に判断できる、直射日光に反射して誤認することがなくなる、交通信号機自体を軽量化でき、又街灯と識別することが出来る、狭い空間でもライトを設置することが出来る、又コンパクトにすることが出来る。
【発明を実施するための最良の形態】
【０００８】上記してきたような本発明の実施するための形態の若干例を添付図面などを利用しながら説明する、図１は信号機の全体図である、そのライトを詳細に説明する、図２で示すように、発光ダイオード（ＬＥＤ）一個に緑素子１１、黄（橙）素子１２、赤素子１３、の三つの光源（素子）を内蔵した、電極マイナス側のカソード（Ｋ）の足緑７：黄（橙）８：赤９と電極プラス側のアノード（Ａ）の足１１を設けた、図３には、そのＬＥＤの回路図を示した。【０００９】図４では、制御機器５で緑、黄（橙）、赤にのＬＥＤ１に配線し順次点灯させる、黄と橙を明確に分けて表示すると、黄の場合、図５で緑、黄、赤と順に点灯することを示した、又橙の場合、図６で緑、橙、赤と順に点灯することをで示した、その点灯の調整はダイでヤル６で決める、このＬＥＤ１を複数個使用してライト２にした、図７では、そのＬＥＤ１のライト２を基板１４に設置した、その裏面には配線を設けた。【００１０】図８では、交通信号機のライトの中のＬＥＤ１の配列は直線状と同心円状とを混合して並べ配列した、又図９でその裏面に配線を設置した。【００１１】図１０では、ライトの三個の円が、縦に絡み連なった形状の円が、限りなく一つの円に近いところから、三個の円が離れる寸前まで幅広いことをしめした。【００１２】図１１は、縦に絡み連なった場合の信号機のライトを示した、その枠を下方から緑円、黄（橙）円、赤円と表示した。【００１３】図１２は、制御機器５からの配線をライトの緑、黄（橙）、赤に接続した、ライトを黄と橙を分離して明確に表示すると、図１３では黄とした場合、下方より緑→黄→赤と順に点灯する、又図１４では橙とした場合、緑→橙→赤と順に点灯する。【００１４】図１５：図１６では、この信号機のライトの形状において、緑の方向矢印４を入れた形にし、その矢印は円内の中からと円外へと表示した、図１７はそのライトの枠を緑矢印、赤円枠、黄（橙）円枠、緑円枠を示した、図１８では赤の円を基準に矢印が任意の方向に表示することを示した、図１９では、この方向矢印４は、赤の円を基準とした円において矢印を斜線で表示した、図２０では、黄の円の中から円外と緑の矢印を斜線で示した、図２１では、橙の円の中から円外と緑の矢印を斜線で示した。【００１５】図２２は制御機器５ａから配線をライト２の緑と黄（橙）と赤と（赤＋緑矢印）と赤に接続した、そのライト２の調整はダイヤル６で決める、又矢印は、任意の時に表示する、そのライト２で黄と橙を明確に分けて黄を入れた場合、図２３では緑→黄→赤→（赤＋緑矢印）→赤と順に点灯することを示した、又そのライトで橙を入れた場合、図２４では、緑→橙→赤→（赤＋緑矢印）→赤と順に点灯することを示した。【００１６】図２５は、黄（橙）のライト２が点灯したときから矢印が任意の時に出てくる場合、制御機器５ｂからの配線を各ライト２の緑と（黄又は橙＋矢印）と（赤＋矢印）と赤に接続した、そのライト２において、黄と橙を明確に分けて、図２６では、黄を入れた場合、緑→（黄＋緑矢印）→（赤＋緑矢印）→赤と順に点灯することを示した、又図２７では、橙を入れた場合、緑→（橙＋緑矢）→（赤＋緑矢印）→赤と順に点灯することを示した。【００１７】図２８を説明する、制御機器５ｃからの配線をライト２にいく配線と順次点灯機器１５と点滅機器１６にいく配線を分離した、その順次点灯機器１５と点滅機器１６からの配線を矢印に接続した、図２９は矢印の表面部を表示し、その一部分は裏の配線部分を表示した、図３０は順次点灯機器と点滅機器からの配線が矢印の裏の配線へ接続し、その一部の配線部分を拡大して、ＬＥＤ１が基板に設置していることをしめした、又緑、黄（橙）、赤が同時に点灯しないように（導通しないように）、ダイオード３を取り付けた、それにより順次点灯機器１５からの電流と点滅機器１６からの電流も相互に流れないようになる。【００１８】図３１は、この緑の矢印が任意の時に下方から指示する方向へ、順次小刻みに出現形成点灯していくようにした、図３２は、緑の矢印が消えるまえに予告のために任意の時に任意の時間点滅するようにした、緑の方向矢印が順次小刻みに出現形成する場合は、赤又は黄（橙）の円が点灯している時間内である、又矢印が点滅する場合も同じく赤又は黄（橙）の円が点灯している時間内である、又矢印が点灯している時間の短長は、ダイヤル６で調整する。【００１９】図３３は、その作動は制御機器５ｃによりライト２の緑と黄（橙）と赤と（赤＋緑矢印順次点灯）と（赤＋緑矢印点滅）に配線した、そのライトの黄と橙を明確に分けて黄を入れた場合、図３４では、緑→黄→赤→（赤＋緑矢印）→（赤＋緑矢印点滅）→赤と順に点灯する、又図３５では橙を入れた場合は、緑→橙→赤→（赤＋緑矢印順次点灯）→（赤、＋緑矢印点滅）→赤と順に点灯する。【００２０】図３６は、ライトが横に絡み連なる信号機の全体図であり、図３７は、ライトの三個の円が横に絡み連なった形状の円が、限りなく一つの円に近いところから三個の円が離れる寸前まで幅広いことをしめした【００２１】図３８では、ライトが横に絡み連なる場合は、その枠を左から右に緑円枠、黄（橙）円枠、赤円枠と示した、図３９では、ライト２は制御機器５により左から右に緑と黄（橙）と赤の順番に配線した、そのライト２に黄と橙を明確に分けて、図４０では、黄を入れた場合、左から右に緑→黄→赤と順に点灯する、図４１では、又は、そのライト２に橙を入れた場合、左から右に、緑→橙→赤と順に点灯する。【００２２】図４２では、又ライト２が横に絡み連なる場合で、その枠を右から左に緑円枠、黄（橙）円枠、赤円枠と示した、図４３では、ライト２は制御機器５により右から左に緑と黄（橙）と赤の順番に配線した、黄と橙を明確に分けて、図４４では、このライト２に黄を入れた場合は、右から左に緑→黄→赤と順に点灯する、図４５では、又はそのライト２に橙を入れた場合は、右から左に緑→橙→赤と順に点灯する。【００２３】図４６は、ライト２が横に絡み連なる場合で矢印をいれて表面を表示した、図４７は横に絡み連なるライト２で、その矢印を入れた信号機の全体を示し、その枠を緑矢印枠、赤円枠、黄（橙）円枠、緑円枠と表示した【００２４】図４８は、そのライト２に黄と橙を明確に分けて、黄にして矢印を任意のときに出す場合、緑→黄→赤→（赤＋矢印）→赤と順に点灯する、図４９は、橙にして矢印を任意のときに出す場合、緑→橙→赤→（赤＋矢印）→赤と順に点灯する。【００２５】図５０は、そのライト２が黄の表示になったときから矢印が任意のときに出す場合は、緑→黄→（黄＋矢印）→（赤＋矢印）→赤と順に点灯する、図５１は、ライト２が橙の表示になったときから矢印を任意のときに出す場合、緑→橙→（橙＋矢印）→（赤＋矢印）→赤と順に点灯する。
【図面の簡単な説明】
【００２６】
【図１】信号機の図である。
【図２】緑、黄（橙）、赤の三光源の素子が入っているＬＥＤの構造図である。
【図３】緑、黄（橙）、赤の三光源の素子が入っているＬＥＤの回路図である。
【図４】制御機器からＬＥＤへ配線した図である
【図５】一個のＬＥＤが緑→黄→赤と光色する図である
【図６】一個のＬＥＤが緑→橙→赤と光色する図である
【図７】三光源のＬＥＤを基板にセットした図である。
【図８】三個の円が縦に絡み連なるライトの表面図である。
【図９】三個の円が縦に絡み連なるライトの裏面配線図である。
【図１０】三個の円が縦に絡み連なるライトが、限りなく一つの円に近くなるものから離れる寸前までを示した図である。
【図１１】信号機の縦に絡み連なったライトと、その枠を赤円枠：黄（橙）円枠：緑円枠を示した図である。
【図１２】制御機器から緑：黄（橙）：赤のライトに配線した図である。
【図１３】信号機のライトが下方から緑→黄→赤と点灯する図である。
【図１４】信号機のライトが下方から緑→橙→赤と点灯する図である。
【図１５】信号機のライトが縦に絡み連なった形状に、緑方向矢印を入れた信号機である。
【図１６】ライトの矢印をいれた表面図である。
【図１７】ライトの矢印を入れた枠を抜粋した図である。
【図１８】ライトの抜粋した枠で赤を主体として矢印が任意に方向を示す図である
【図１９】ライトの抜粋した枠で赤を主体として緑の矢印を斜線でしめした。
【図２０】ライトの抜粋した枠の中で黄を主体で矢印を入れた矢印部分を斜線で示した。
【図２１】ライトの抜粋した枠の中で橙を主体で矢印を入れた矢印部分を斜線で示した。
【図２２】制御機器から下方より緑：黄（橙）：赤：（赤＋矢印）：赤の順のライトに配線で接続した図である。
【図２３】ライトを下方から緑→黄→赤→（赤＋矢印）→赤と点灯する図である。
【図２４】ライトを下方から緑→橙→赤→（赤＋矢印）→赤と点灯する図である。
【図２５】制御機器から下方より緑：黄（橙）：（黄または橙＋矢印）：（赤＋矢印）：赤の順のライトに配線で接続した図である。
【図２６】ライトを下から緑→黄→（黄＋矢印）→（赤＋矢印）→赤と示した図である。
【図２７】ライトを下から緑→橙→（橙＋矢印）→（赤＋矢印）→赤と示した図である。
【図２８】制御機器により順次点灯機器と点滅機器に配線し、又それからライトの矢印に配線が接続した図である。
【図２９】矢印の表面図とその一部分の裏面配線部分を示した図である。
【図３０】順次点灯機器と点灯機器から裏面の矢印に配線した図である、また基板に設置したＬＥＤを表した。
【図３１】順次点灯機器により矢印が小刻みに出現して形成する図である。
【図３２】点滅機器により矢印が点灯と消灯を繰り返す点滅する図である。
【図３３】制御機器より各ライトに配線し、又順次点灯機器と点滅機器から矢印に配配線した図である。
【図３４】ライトが下方より緑→黄→赤→赤（緑の小刻み出現形成矢印）→赤（矢印点滅）→赤と示した図である。
【図３５】ライトが下方より緑→橙→赤→赤（緑の小刻み出現形成矢印）→赤（矢印点滅）→赤と示した図である。
【図３６】信号機の全体図でありライトの円が横に絡み連なる図である。
【図３７】三個の円が横に絡み連なるライトが、限りなく一つの円に近くなるものから離れる寸前までを示した図である。
【図３８】信号機の全体図でありライトが横に並びその枠を右から左に赤：黄（橙）：緑と示した図である
【図３９】緑：黄（橙）：赤のライトを左から右に並べそのライトに制御機器からの配線を接続した図である。
【図４０】ライトが左から右に緑→黄→赤の順に点灯していく図である。
【図４１】ライトが左から右に緑→橙→赤の順に点灯していく図である。
【図４２】信号機の全体図でありライトが横に並びその枠を左から右に赤：黄（橙）：緑と示した図である。
【図４３】緑：黄（橙）：赤のライトを右から左に並べそのライトに制御機器からの配線を接続した図である。
【図４４】ライトが右から左に緑→黄→赤の順に点灯していく図である。
【図４５】ライトが右から左に緑→橙→赤の順に点灯していく図である。
【図４６】ライトが横に絡み連なったライトに矢印を入れた表面図である。
【図４７】信号機の全体図であり、ライトに矢印を入れた枠を示した図である。
【図４８】ライトを緑→黄→赤→（赤＋矢印）→赤と示した。
【図４９】ライトを緑→橙→赤→（赤＋矢印）→赤と示した。
【図５０】ライトを緑→黄→（黄＋矢印）→（赤＋矢印）→赤と示した。
【図５１】ライトを緑→橙→（橙＋矢印）→（赤＋矢印）→赤と示した。
【符号の説明】
【００２７】  １  青、黄（橙）、赤の三光源の素子が入っているＬＥＤ
２  ライト
３  ダイオード
４  緑の方向矢印
５  制御機器
６  ダイヤル
７  カソード（Ｋ）緑の足
８  カソード（Ｋ）黄（橙）の足
９  カソード（Ｋ）赤の足
１０  アノード（Ａ）の足
１１  緑素子
１２  黄（橙）素子
１３  赤素子
１４  基板
１５  順次点灯機器
１６  点滅機器
【図１】
2013061942.tif 000003
【図２】
2013061942.tif 000004
【図３】
2013061942.tif 000005
【図４】
2013061942.tif 000006
【図５】
2013061942.tif 000007
【図６】
2013061942.tif 000008
【図７】
2013061942.tif 000009
【図８】
2013061942.tif 000010
【図９】
2013061942.tif 000011
【図１０】
2013061942.tif 000012
【図１１】
2013061942.tif 000013
【図１２】
2013061942.tif 000014
【図１３】
2013061942.tif 000015
【図１４】
2013061942.tif 000016
【図１５】
2013061942.tif 000017
【図１６】
2013061942.tif 000018
【図１７】
2013061942.tif 000019
【図１８】
2013061942.tif 000020
【図１９】
2013061942.tif 000021
【図２０】
2013061942.tif 000022
【図２１】
2013061942.tif 000023
【図２２】
2013061942.tif 000024
【図２３】
2013061942.tif 000025
【図２４】
2013061942.tif 000026
【図２５】
2013061942.tif 000027
【図２６】
2013061942.tif 000028
【図２７】
2013061942.tif 000029
【図２８】
2013061942.tif 000030
【図２９】
2013061942.tif 000031
【図３０】
2013061942.tif 000032
【図３１】
2013061942.tif 000033
【図３２】
2013061942.tif 000034
【図３３】
2013061942.tif 000035
【図３４】
2013061942.tif 000036
【図３５】
2013061942.tif 000037
【図３６】
2013061942.tif 000038
【図３７】
2013061942.tif 000039
【図３８】
2013061942.tif 000040
【図３９】
2013061942.tif 000041
【図４０】
2013061942.tif 000042
【図４１】
2013061942.tif 000043
【図４２】
2013061942.tif 000044
【図４３】
2013061942.tif 000045
【図４４】
2013061942.tif 000046
【図４５】
2013061942.tif 000047
【図４６】
2013061942.tif 000048
【図４７】
2013061942.tif 000049
【図４８】
2013061942.tif 000050
【図４９】
2013061942.tif 000051
【図５０】
2013061942.tif 000052
【図５１】
2013061942.tif 000053